(57)【要約】【課題】特定の体躯部位の所定位置での維持や移動を補助する補助器具の提供。【解決手段】体躯部位のうち異なる２つの部位に取外し自在に装着される２つの装着部と、前記２つの装着部の間で取外し自在に連結される弾性連結体１、１７とを備え、前記弾性連結体の弾性引張り力を利用して特定の体躯部位の所定位置での維持や移動を補助する。例えば、肩・上腕用装着部２７と、肘用装着部３７と、腕用装着部３９をそれぞれの体躯部位に装着し、その間を弾性連結体１、１７で連結すれば、片方の腕を、力を入れない自然状態では、持ち上げた位置に維持される。腕を伸ばしたいときには腕に少し力を入れて降ろせばよい。腕を一旦降ろしても力を抜けば、弾性連結体１、１７の弾性復元力により、元の持ち上げた位置にスムーズに戻る。【選択図】        図３
2010201105.tif 000002
【特許請求の範囲】
【請求項１】
体躯部位のうち異なる２つの部位に取外し自在に装着される２つの装着部と、前記２つの装着部の間で取外し自在に連結される弾性連結体とを備え、前記弾性連結体の弾性引張り力を利用して特定の体躯部位の所定位置での維持や移動を補助することを特徴とする体躯装着型補助器具。
【請求項２】
請求項１に記載した体躯装着型補助器具において、
弾性連結体は弾性部材とその両端に設けられたフックとで成り、装着部にはフックが掛止される掛止部が設けられていることを特徴とする体躯装着型補助器具。
【請求項３】
請求項２に記載された体躯装着型補助器具において、
１つの装着部に複数の掛止部が設けられており、弾性連結体のフックが任意の掛止部に掛止されることを特徴とする体躯装着型補助器具。
【請求項４】
請求項１から３のいずれかに記載した体躯装着型補助器具において、
装着部は体躯部位に巻き回される本体と、前記本体に設けられ、体躯部位に巻き回された前記本体を展開不能に固定するファスナー係合部とでなることを特徴とする体躯装着型補助器具。
【発明の詳細な説明】
【技術分野】
【０００１】
本発明は、肩部、腕部、胴部、脚部等の体躯部位に装着して、特定の体躯部位の所定位置での維持や移動を補助する補助器具に関するものである。
【背景技術】
【０００２】
工場では、例えばライン上に搬送されてきた検査品を順次片方の手で持って、もう片方の手でその検査品を検査するなど、長時間にわたって同じ姿勢が要求される作業があるが、そのような作業では検査品を持つ方の手が疲れ易い。
また、片足が麻痺している場合には、杖などを利用して歩行するが、麻痺している方の足を前方にスムーズに押出すことは難しい。
上記のような弊害は、いずれも、筋肉の運動機能の低下や消失により起こるものである。
【先行技術文献】
【特許文献】
【０００３】
【特許文献１】特開２００７−０１４７２９号公報
【特許文献２】特開２００７−０５１４０３号公報
【発明の概要】
【発明が解決しようとする課題】
【０００４】
従来から、特許文献１に記載のように腕を吊るサポーターや、特許文献２に記載のように体躯に装着して引締め効果を図ろうとするサポーターはあるが、上記のような弊害に対応できるものは開発されていない。
それ故、本発明は、上記課題を解決するために、特定の体躯部位の所定位置での維持や移動を補助する、新規且つ有用な体躯装着型補助器具を提供することを目的とする。
【課題を解決するための手段】
【０００５】
本発明者は、鋭意研究の結果、コイルバネなどの弾性材の弾性引張り力を利用することで、上記のような特定の体躯部位の所定位置での維持や移動を容易にする補助器具を開発するに至った。
本発明の請求項１の発明は、体躯部位のうち異なる２つの部位に取外し自在に装着される２つの装着部と、前記２つの装着部の間で取外し自在に連結される弾性連結体とを備え、前記弾性連結体の弾性引張り力を利用して特定の体躯部位の所定位置での維持や移動を補助することを特徴とする体躯装着型補助器具である。
【０００６】
請求項２の発明は、請求項１に記載した体躯装着型補助器具において、弾性連結体は弾性部材とその両端に設けられたフックとで成り、装着部にはフックが掛止される掛止部が設けられていることを特徴とする体躯装着型補助器具である。
【０００７】
請求項３の発明は、請求項２に記載された体躯装着型補助器具において、１つの装着部に複数の掛止部が設けられており、弾性連結体のフックが任意の掛止部に掛止されることを特徴とする体躯装着型補助器具である。
【０００８】
請求項４の発明は、請求項１から３のいずれかに記載した体躯装着型補助器具において、装着部は体躯部位に巻き回される本体と、前記本体に設けられ、体躯部位に巻き回された前記本体を展開不能に固定するファスナー係合部とでなることを特徴とする体躯装着型補助器具である。
【発明の効果】
【０００９】
本発明の体躯装着型補助器具を装着すれば、特定の体躯部位の所定位置での維持や移動が容易になる。
【図面の簡単な説明】
【００１０】
【図１】本発明の実施の形態に係る体躯装着型補助器具の一部を構成する２種類の弾性連結部材の斜視図である。
【図２】本発明の第１の実施の形態に係る体躯装着型補助器具の分解斜視図である。
【図３】図２の体躯装着型補助器具の装着状態の説明図である。
【図４】本発明の第２の実施の形態に係る体躯装着型補助器具の分解斜視図である。
【図５】図４の体躯装着型補助器具の装着状態の説明図である。
【図６】図５の装着済みの状態での歩行を説明する説明図である。
【図７】図４に示す胴回り用装着部の改変例である。
【発明を実施するための形態】
【００１１】
先ず、本発明の実施の形態に係る体躯装着型補助器具の構成部材として利用する弾性連結部材について、図１にしたがって説明する。
図１（１）は短いタイプを、図１（２）は長いタイプをそれぞれ示す。
図１（１）の弾性連結体１は、カバーで被覆された弾性線材３の中間にコイルバネ部５が形成されている。また、弾性線材３の両端は、折り曲げられ留め具７により一体に結束されてループ９になっている。なお、弾性線材３の両端はフック１１のリング１３に挿通された上で結束されてループ９になっており、弾性線材３はフック１１と連結されて一体になっている。フック１１には、開口を開閉する抜止ピン１５が設けられており、この抜止ピン１５は開口を閉鎖する方向に常時付勢されている。
【００１２】
図１（２）の弾性連結体１７は、カバーで覆われた弾性線材１９が２本用いられている。各弾性線材１９のやや一端側寄りにコイルバネ部２１が形成されている。２本の弾性線材１９は、コイルバネ部２１が左右に間隔をおいて対向するように、左右逆向きに並べられて配置されている。一方の弾性線材１９のコイルバネ部２１側の一端は折り曲げられ、他方の弾性線材１９の他端と共に図１（１）と同じ留め具７により一体に結束されており、折曲げられた部分の結束により形成されたループ２３には、図１（１）の弾性連結体１と同様にフック１１が連結されている。
【００１３】
次に、本発明の第１の実施の形態に係る体躯装着型補助器具２５について、図２〜図３にしたがって説明する。
この体躯装着型補助器具２５は、片腕の持ち上げを補助するものである。
符号２７は肩・上腕用装着部を示し、この肩・上腕用装着部２７は柔軟性を有する素材で形成されて、装着した体躯の形状に柔軟に追従するようになっている。肩・上腕用装着部２７は、２つの部材で構成されている。一方の部材２９は上腕を通す筒状の腕当て部分とその上方に位置する一方の肩乃至胸当て部分が一体になっており、当該部材２９の胸当て部分の先端の裏面には面ファスナーが取り付けられている。一方、他方の部材３１は他方の肩乃至胸当て部分に対応し、その表面全体がループ状のファスナー止着部になっており、一方の部材２９とファスナー係合するようになっている。
【００１４】
符号３３はリング挿通穴を示し、このリング挿通穴３３は肩・上腕用装着部２７の縁側の種々の箇所、ここでは、背当て部分、胸当て部分、付け根付近、上腕の外側部分に形成されている。各リング挿通穴３３には掛止部としてのコイルリング３５が連結されている。
【００１５】
符号３７は肘用装着部を示し、上記の肩・上腕用装着部２７と同様の素材で形成されている。この肘用装着部３７は肘の内側当て部分を挟んで上腕当て部分と前腕当て部分とが一体の一つの部材で構成されている。そして、上腕当て部分と前腕当て部分はそれぞれ帯状になっている。上腕当て部分と前腕当て部分は、先端の裏面に面ファスナーが取付けられ、肘用装着部３７の表面全体はループ状のファスナー止着部になっており、肩・上腕用装着部２７と同様にファスナー係合するようになっている。
この肘用装着部３７の肘側の縁付近にもリング挿通穴３３が形成され、そのリング挿通穴３３にはコイルリング３５が連結されている。
【００１６】
符号３９は腕用装着部を示し、この腕用装着部３９は伸縮性の筒状体３８と一端が筒状体に取付けられたベルト状体４０とで構成されている。ベルト状体４０の表面の先端側に面ファスナーが取付けられ、表面の残り面全体がループ状のファスナー止着部になっており、ベルト環で折り返すと肩・上腕用装着部２７と同様にファスナー係合するようになっている。
この腕用装着部３９のベルト状体４０にもリング挿通穴３３が形成され、そのリング挿通穴３３にはコイルリング３５が挿通されている。
【００１７】
肩・上腕用装着部２７と肘用装着部３７、肩・上腕用装着部２７と腕用装着部３９は、それぞれ、その間に介装される弾性連結体１、１７によって連結される。また、肩・上腕用装着部２７の胸側と背中側は、間に介装される弾性連結体１によって連結される。
弾性連結体１、１７の連結は、弾性連結体１、１７のフック１１を開口させて各装着部に備えられたコイルリング３５に掛止することにより行う。その後、抜止ピン１５の付勢力により開口は閉鎖されるので、連結状態は安定的に維持される。
【００１８】
体躯装着型補助器具２５の装着方法と装着状態について、図３にしたがって説明する。
先ず、各装着部を所定の体躯部位に装着する。
肩・上腕用装着部２７は、一方の部材２９の筒状の円筒部分に上腕を通し、その上の肩に当てておき、他方の部材３１を残りの肩に当てると共に、一方の部材２９と他方の部材３１とをファスナー係合させて、首の付け根を囲んで一体にした状態で装着する。肘用装着部３７は、肘の内側に中間部分を当て、上腕当て部分と前腕当て部分をそれぞれ腕に巻き回し適度に締めてから、ファスナー係合させて装着する。腕用装着部３９は、筒状体３８に手首を通した後、ベルト状体４０を適度に締めてからファスナー係合させて装着する。
【００１９】
次に、肩・上腕用装着部２７の胸側と背中側を弾性連結体１により連結させる。また、肩・上腕用装着部２７と肘用装着部３７を弾性連結体１により連結させ、肩・上腕用装着部２７と腕用装着部３９を弾性連結体１７により連結させる。
肩・上腕用装着部２７は胸側から背中側に介挿された弾性連結体１の弾性連結により、前後にずれることなく安定的に装着される。そして、肘用装着部３７と腕用装着部３９は、肩・上腕用装着部２７との間に介挿された弾性連結体１、１７の弾性連結により弾性的に引張り上げられる。
【００２０】
上記のように装着作業を終了すると、肘用装着部３７と腕用装着部３９が装着された右腕は、力を入れない自然状態では、屈曲された位置に安定的に維持できる。腕を伸ばしたいときには右腕に少し力を入れて降ろせばよい。右腕を一旦降ろしても力を抜けば、弾性連結体１、１７の弾性引張り力により、元の屈曲された位置にスムーズに戻る。
このように力を入れない自然状態では、右手が持ち上がった状態に維持されるので、長時間の検査作業において、右手で検査品を順次持ち上げるような場合でも、疲れ難くなる。
また、装着部はファスナー係合により体躯部位に装着され、弾性連結体１、１７はフックの掛止めにより連結されているので、装着・脱着作業が容易である。
【００２１】
次に、本発明の第２の実施の形態に係る体躯装着型補助器具４１について、図４〜図６にしたがって説明する。
なお、第１の実施の形態に係る補助器具２５と同じ構成部分は同じ符号を付して説明を省略する。
この体躯装着型補助器具４１は、歩行を補助するものである。
符号４３は胴回り用装着部を示し、第１の実施の形態に係る肩・上腕用装着部２７と同様の素材で形成されている。胴回り用装着部４３は二重巻き構造になっており、幅広帯状体４５と幅狭帯状体４７とが背当て部分で接合されている。幅広帯状体４５は、一方の先端側の裏面に面ファスナーが取付けられ、両方の先端側の表面は一定の長さにわたってループ状のファスナー止着部になっており、胴回りに巻き回し適度に締めてから、ファスナー係合させて装着するようになっている。幅狭帯状体４７は、その両方の先端側の裏面に面ファスナーが取付けられており、幅広帯状体４５の表面上に沿って適度に締めてから、ファスナー係合させて装着するようになっている。
この胴回り用装着部４３にもリング挿通穴３３が形成され、そのリング挿通穴３３にはコイルリング３５が挿通されている。
【００２２】
符号４９は膝用装着部を示し、この膝用装着部４９は第１の実施の形態に係る肩・上腕用装着部２７と同様の素材で形成されている。膝用装着部４９は帯状になっており、膝頭に当たる部分には切欠きが形成されている。膝用装着部４９は、一方の先端側の裏面には面ファスナーが取付けられ、表面全体はループ状のファスナー止着部になっており、膝を挟んで足に巻き回し適度に締めてからファスナー係合させて装着するようになっている。
この膝用装着部４９にもリング挿通穴３３が形成され、そのリング挿通穴３３にはコイルリング３５が挿通されている。
【００２３】
体躯装着型補助器具４１の装着方法と装着状態について、図５にしたがって説明する。
先ず、各装着部を所定の体躯部位に装着する。
胴回り用装着部４３は、幅広帯状体４５と幅狭帯状体４７とを順次胴回りに巻き回しファスナー係合させて装着する。膝用装着部４９は、膝頭に当たらないように足に巻き付けファスナー係合させて装着する。次に、胴回り用装着部４３と膝用装着部４９を弾性連結体１７により第１の実施の形態と同様に連結させる。
連結すると、胴回り用装着部４３と膝用装着部４９は、その間に介挿された弾性連結体１７の弾性連結により、弾性的に引張り上げられる。
【００２４】
次に、歩行の補助の様子を、図６にしたがって説明する。
右足を先に前方に出しておくと、胴回り装着部４３は前方に押し出されるので、弾性連結体１７は弾性的に伸長している。その後に、右足側に重心をおいて姿勢を傾けると装着した方の左足が容易に地面から離れる。そして、弾性連結体１７は弾性的に復元、すなわち収縮しようとして、膝用装着部４９を前方に引張り出す。従って、膝用装着部４９が装着された左足はスムーズに前方に押し出される。この繰り返しにより、左足が不自由であっても、歩行がスムーズに進行する。
【００２５】
図７に示す胴回り用装着部５１は、図４に示す胴回り用装着部４３の改変例である。この帯状体５３は一方の先端側の裏面に面ファスナーが取付けられ、他方の先端側の表面がループ状のファスナー止着部になっており、ファスナー係合するようになっている。この帯状体５３には、別体の掛止用具５５が２つ縫着されている。各掛止用具５５は、リング状掛止部５７が上下に２つ配されている。
この胴回り用装着部５１では、リング状掛止部５７が上下に配されているので、体型に合わせて適当な高さのリング状掛止部５７を選んで弾性連結体１７を連結させることができる。したがって、装着する人の身長に合わせて適当な高さのリング状掛止部５７に弾性連結体１７を連結することで、弾性連結体１７の弾性引張り力は常に適度な力となる。
なお、胴回り用装着部５１だけでなく、膝用装着部も上記のような掛止用具５５が取付けられたものを使用してもよい。
【００２６】
以上、本発明の実施の形態を説明したが、本発明の具体的構成が上記の実施の形態に限定されるものではなく、本発明の要旨から外れない範囲での設計変更があっても本発明に含まれる。
例えば、上記の実施の形態ではフックの掛止部が図示により特定されているが、１つの装着部には複数の掛止部が設けられており、使用者は自分の体型に合わせて適当な掛止部を使用すればよい。
また、弾性連結体も複数準備されており、使用者は自分の体型に合わせて適当なものを使用すればよい。
また、第２の実施の形態では、さらに足裏側に装着する装着部を利用し、膝用装着部と弾性連結させることも考えられる。このようにすれば、足裏が傾きがちな人でも傾きが無いように矯正されるので、地面にしっかりと接地することができる。
【産業上の利用可能性】
【００２７】
本発明に補助器具を活用することで、作業能率のアップを図れたり、日常生活を楽にしたりできる。
【符号の説明】
【００２８】
１、１７‥‥弾性連結体        １１‥‥フック
２５‥‥体躯装着型補助器具（第１の実施の形態）
２７‥‥肩・上腕用装着部        ３３‥リング挿通穴
３５‥‥コイルリング
３７‥‥肘用装着部              ３９‥‥腕用装着部
４１‥‥体躯装着型補助器具（第２の実施の形態）
４３‥‥胴回り用装着部          ４９‥‥膝用装着部
５１‥‥胴回り用装着部          ５３‥‥帯状体
５５‥‥掛止用具                ５７‥‥リング状掛止部
【図１】
2010201105.tif 000003
【図２】
2010201105.tif 000004
【図３】
2010201105.tif 000005
【図４】
2010201105.tif 000006
【図５】
2010201105.tif 000007
【図６】
2010201105.tif 000008
【図７】
2010201105.tif 000009